(57)【要約】【課題】玉箱内に貯留される遊技球を詰まりなくその底部の払出口から排出するとともに、棒状部材等が払出口から遊技島内部等に差し込まれる悪戯を防止する。  【解決手段】遊技島1のカウンター5上に載置され、遊技島1に列設される遊技機３で獲得した遊技球を貯留する遊技球貯留用玉箱３０であって、底面３１部に遊技球を排出する玉払出口３５が開口され、玉払出口３５を覆うようにその上方にドーム状の被覆部３６を設け、被覆部３６の側方に、底面３１部上に貯留される遊技球を玉払出口３５に流下させる取込口３７を設けた。【選択図】      図３
2010035724.tif 000002
【特許請求の範囲】
【請求項１】
遊技島のカウンター上に載置され、前記遊技島に列設される遊技機で獲得した遊技球を貯留する遊技球貯留用玉箱であって、底面部に前記遊技球を排出する玉払出口が開口され、前記玉払出口を覆うようにその上方にドーム状の被覆部を設け、前記被覆部の側方に、前記底面部上に貯留される遊技球を前記玉払出口に流下させる取込口を設けたことを特徴とする遊技球貯留用玉箱。
【請求項２】
前記遊技球貯留用玉箱に貯留される遊技球を、前記底面部に沿って一列に並べ前記取込口から拡散させる方向に案内する玉案内溝を、前記取込口の周囲に配設したことを特徴とする請求項１に記載の遊技球貯留用玉箱。
【請求項３】
前記底面部上を覆うように軟質部材からなる所定厚さのシート部材を貼付し、前記取込口の周囲に貼付される前記シート部材を切り欠くことにより前記底面部上に前記球案内溝を形成したことを特徴とする請求２に記載の遊技球貯留用玉箱。
【請求項４】
前記取込口に隣接してアース部材を配設したことを特徴とする請求項１ないし請求項３に記載の遊技球貯留用玉箱。
【発明の詳細な説明】
【技術分野】
【０００１】
本発明は、遊技島のカウンター上に載置され、遊技島に設けられた遊技機で獲得した遊技球を貯留し、その貯留した遊技球を遊技島内部に返却することや、持ち運び移動することができる遊技球貯留用玉箱に関する。
【背景技術】
【０００２】
従来のこの種の遊技球貯留用の玉箱としては、先に出願公開された特開２００７−２０３１０４号公報（特許文献１）に記載されるようなものが知られている。この特許文献1に記載される遊技球貯留用の玉箱は、その底部が中央に向かって下り傾斜状に形成されており、その底部に払出口が開口され、遊技島のカウンター上の所定位置に載置された場合、その底部の払出口がカウンター部に設けられた遊技球返却口に対向するようになっている。また、その底部の払出口には、その払出口を開閉するシャッター部材およびその開閉駆動機構が備えられている。そして、その開閉駆動機構によりシャッター部材が駆動され、遊技球貯留用の玉箱の払出口が開口されると、その玉箱内に貯留される遊技球が遊技島のカウンター部に設けられた遊技球返却口を介して遊技島の内部に返却され、その内部に設けられた計数機により計数されて遊技客の獲得球として計上された後、再び遊技島内の遊技球として利用される。これによれば、遊技客が多数の遊技球を賞球として獲得した場合にも、遊技島手前の床上に多数の玉箱を整列させる等の煩わしい作業が不要となり、遊技客に対するサービス性を向上させることができるとともに、遊技場の営業において、多数の玉箱と遊技球を必要としないことができるから、その経費を少なくすることができるというものである。また、この特許文献１に記載の装置には、遊技島の内部に設けられる計数機の上流側の玉通路に玉整列機構が設けられ、遊技球の計数部での渋滞や詰まりが防止され、その計数処理時間の短縮が図られるようになっている。
【特許文献１】特開２００７−２０３１０４号公報
【発明の開示】
【発明が解決しようとする課題】
【０００３】
ところで、特許文献１に記載される遊技球の計数処理装置においては、遊技島の内部に設けられる計数機の上流側に玉整列機構が設けられ、遊技球の計数部での渋滞や詰まりが防止されるが、遊技球貯留用玉箱内に多数の遊技球が貯留され、その払出口が開口されると、遊技球が払出口部に集積して互いに干渉し合いその払出口部において遊技球が詰まったり、或いは払出口を流下する玉数が減少したりして遊技球の計数処理効率が低下してしまう問題があった。また、遊技球貯留用玉箱に設けられる払出口が、遊技客に良く見えるように開口されているので、その払出口から棒状部材等の異物が遊技島台の内部に差し込まれて悪戯行為が行われる等の問題があった。
【０００４】
本発明は、このような問題に対応するため、遊技球貯留用の玉箱内に貯留される遊技球をその払出口を介して遊技島の内部に排出する場合に、遊技球が払出口部に集中して詰まり等を生じさせないようにするとともに、棒状部材等の異物が払出口を介して遊技島内部等に容易に差し込まれる悪戯を防止することができる遊技球貯留用の玉箱を提供することを目的とするものである。
【課題を解決するための手段】
【０００５】
上記課題を解決するため、請求項１に係る発明は、遊技島のカウンター上に載置され、前記遊技島に列設される遊技機で獲得した遊技球を貯留する遊技球貯留用玉箱であって、底面部に前記遊技球を排出する玉払出口が開口され、前記玉払出口を覆うようにその上方にドーム状の被覆部を設け、前記被覆部の側方に、前記底面部上に貯留される遊技球を前記玉払出口に流下させる取込口を設けたものである。
【０００６】
これによれば、前記玉払出口を覆うようにその上方にドーム状の前記被覆部が設けられるから、前記遊技球貯留用玉箱内に多数の遊技球が貯留される場合も、前記遊技球が前記玉払出口の上部に密集してこれを押し塞ぐことがなく、前記被覆部の側方に設けられる前記取込口から円滑に前記玉払出口に流下するようにできる。
また、請求項２に係る発明は、請求項１に記載の遊技球貯留用玉箱において、前記遊技球貯留用玉箱に貯留される遊技球を、前記底面部に沿って一列に並べ前記取込口から拡散させる方向に案内する玉案内溝を、前記取込口の周囲に配設したものである。
【０００７】
これによれば、前記遊技球貯留用玉箱内に貯留される遊技球を前記取込口から前記玉払出口へ流下させる場合、前記取込口に向かって集まる前記遊技球をなるべく拡散させながら前記玉払出口に流下することができる。
また、請求項３に係る発明は、請求項２に記載の遊技球貯留用玉箱において、前記底面部上を覆うように軟質部材からなる所定厚さのシート部材を貼付し、前記取込口の周囲に貼付される前記シート部材を切り欠くことにより前記底面部上に前記球案内溝を形成した
ものである。
【０００８】
これによれば、遊技島台に設けられる前記遊技機の玉皿から前記遊技球貯留用玉箱に遊技球を排出するとき、前記遊技球の玉跳ね量を小さくし、前記遊技球と前記底面部との衝突音を小さくすることができる。また、前記取込口部の周囲に設けられる前記玉案内溝を、前記取込口の態様に応じて、容易にかつ適宜に形成することができる。
また、請求項４に係る発明は、請求項１ないし請求項３に記載の遊技球貯留用玉箱において、前記取込口部に隣接してアース部材を配設したものである。
【０００９】
これによれば、前記取込口部付近に向かって流下する遊技球の帯電を防止することができる。
【発明の効果】
【００１０】
以上説明したように請求項１に係る発明によれば、玉払出口を覆うようにドーム状の被覆部が設けられるから、遊技球貯留用玉箱内に多数の遊技球が貯留される場合も、遊技球が玉払出口の上部に密集してこれを押し塞ぐことがなく、被覆部の側方に設けられる取込口から円滑に玉払出口に流下するようにできるから、遊技球が渋滞や詰りを生じることなく玉払出口から効率的に払いだされるようにするとともに、玉払出口が遊技客から容易に見えないようにして、棒状部材等の異物が玉払出口を介して遊技島内部に差し込まれる悪戯を防止することができる。
【００１１】
また、請求項２に係る発明によれば、遊技球貯留用玉箱内に貯留される遊技球を取込口から玉払出口へ流下させる場合、取込口に向かって集まる遊技球をなるべく拡散させながら玉払出口に流下することができるから、取込口部における遊技球の詰まりや渋滞を防止して、その下流の玉払出口から遊戯球を円滑に排出することができる。
また、請求項３に係る発明によれば、遊技島に設けられる遊技機の玉皿から遊技球貯留用玉箱に遊技球を排出するとき、遊技球の玉跳ね量を小さくし、遊技球と底面部との衝突音を小さくすることができるから、遊技球の玉箱からの飛び出しを防止するとともに、その玉排出時の騒音を小さくした使い勝手の良い遊技球貯留用玉箱を供給することができる。また取込口部の周囲に設けられる玉案内溝を、その取込口の態様に応じて、容易にかつ適宜に形成することができるから、コストが安く品質の良い遊技球貯留用玉箱を供給することができる。
【００１２】
また、請求項４に係る発明によれば、取込口部付近に向かって流下する遊技球の帯電を防止することができるから、遊技球貯留用玉箱内の遊技球が少なくなって、取込口付近に僅かに貯留される場合でも確実に遊技球の帯電を防止することができる。
【発明を実施するための最良の形態】
【００１３】
本発明の実施の形態について図を参照して説明する。図１は本発明の実施形態の遊技球貯留用玉箱を適用するもので、遊技場において複数並設された遊技機（パチンコ台等）の間に遊戯球貸出機（台間玉貸機）が交互に配置されて形成されたいわゆる遊技島を模式的に示す正面図である。また、図２はこの遊技島の構成を示す概略側面図である。
図に示すようにこの遊技島１は、遊技機３および遊技球貸出機４等の周辺機器が、その両側に背中合わせに配置され、幅方向に複数台が列設されて遊技島１が構成されている。そして、この遊技島１の内部には、遊技機３や遊技媒体貸出機４に遊技球（パチンコ玉）を補給するための玉補給通路６や、遊技球を回収するための玉回収通路７が配設されている。玉補給通路６は遊技球を遊技島１の列設方向に搬送し、各遊技機３や遊技球貸出機４に供給するように構成され、また玉回収通路７は、各遊技機３やその下方の遊技島１内に設けられる後述の計数機１０等から排出された遊技球を回収して一箇所に搬送するように構成されている。そして、玉回収通路７により一箇所に搬送された遊技球は、図示しない揚送手段により玉補給通路６に揚送され、遊技島１内を循環するように構成されている。
【００１４】
遊技球貸出機４は、その前面に硬貨投入口１２、操作部１３、遊技機３の上皿へ遊技球を案内する玉投出ノズル１５、カード挿入口１６、獲得した遊技球の量を表示するための点滅する玉積みランプ１７等が配置されている。また、操作部１３には、図示は省くが遊技球の投出を指示する投出ボタン、カード挿入口に挿入されたカードの返却を指示するカード返却ボタン、データ入力用テンキー等が設けられている。
【００１５】
遊技機３には、遊技球を投入する上皿２１と、この直下位置に賞球（獲得球）が払い出される下皿２２が設けられ、この下皿２２の側方に遊技用ハンドル２３が配設されている。そして、遊技機４の下方には、その列設方向に沿ってカウンター部５が手前側に張出して設けら、このカウンター部(カウンター)５には、遊技機３の下皿２２から排出される遊技球を受け入れて貯留する遊技球貯留用玉箱３０を、着脱自在に嵌合する玉箱装着台２５が配設されている。さらに、この玉箱装着台２５が設けられるカウンター部５の下方には、遊技球貯留用玉箱３０内に貯留される遊技球を、遊技島１内に返却し、計数する玉返却装置２７がカバー部材２８に覆われて備えられている。ところで、遊技機３の下皿２２には玉抜き操作ボタン２４が設けられ、この玉抜き操作ボタン２４が操作されると、その下皿２３内に溜まった遊技球がその下方に排出され、下方に位置する遊技球貯留用玉箱３０に貯留される。
【００１６】
また、玉箱装着台２５には、シャターレバー２６が設けら、このシャッターレバー２６を操作することにより、遊技球貯留用玉箱３０の底部に設けられた後述の払出口シャッター３２、およびこれと対向して玉箱装着台２５にシャッターレバー２６と一体に設けられた図示しない返却口シャターが開口され、遊技球貯留用玉箱３０内に貯留される遊技球が、玉箱装着台２５に設けられた返却口４３（図６参照）を介して玉返却装置２７に返却され計数される。
【００１７】
図３は本発明の実施形態の遊技球貯留用玉箱３０を示す斜視図、図４は本発明の実施形態の遊技球貯留用玉箱３０を示す正面断面図、図５は本発明の実施形態の遊技球貯留用玉箱３０を示す側面断面図である。図に示すように、この遊技球貯留用玉箱３０は、例えばポリカーボネート等の合成樹脂により一体成型され上面が開放された角箱状のもので、その上縁部３４は、全周が外側下方に向けて折返されて断面が逆Ｕ字状に形成されている。そして、その底面３１には一角部に玉払出口３５が下方に貫通して開口され、さらにその玉払出口３５はその上方がドーム状の被覆部３６により覆われ、その被覆部３６には、底面３１上を流下する遊技球を玉払出口３５に取り込むための取込口３７が開口されている。なお、ドーム状の被覆部３６の内壁には、取込口３７に隣接して除電用のアース板金４１が配設されている。
【００１８】
また底面３１は、そこに貯留される遊技球が被覆部３６に開口する取込口３７に向けて流下されるように、全体が取込口３７に向けて緩やかに傾斜するように形成されている。
また、この底面３１には、遊技球の径の約1／５程度の厚み（約２ｍｍ）のゴム板４０が貼付けられている。そして、このゴム板４０は、ドーム状の被覆部３６の取込口３７の周囲が切欠かれ、それにより、その底面３１上に貯留される遊技球を底面３１に沿って一列に並べ、取込口３７から散り広がる方向に案内する玉案内溝３８ａ、３８ｂ、３８ｃが、その周囲の底面３１上に複数箇所形成されている。
【００１９】
図６は、遊技島１のカウンター部５に備えられた玉箱装着台２５に遊技球貯留用玉箱３０が装着された状態を示す正面断面図である。図に示すように、遊技球貯留用玉箱３０内には、ドーム状の被覆部３６の側方に開口する取込口３７に向かって緩やかに傾斜する底面３１が構成され、この内部に貯留される遊技球は、この底面に沿って流下し、取込口３７を介して玉払出口３５に到達する。ここで、玉箱装着台２５に設けられるシャッターレバー２６が操作されると、玉箱装着台２５の返却口４３が開口されると同時に、このシャッターレバー２６と連動して遊技球貯留用玉箱３０の底部の払出口シャッター３２が移動し、玉払出口３５が開放される。さらにまた、これと連動して、玉箱装着台２５の返却口４３と対応して設けられる玉返却装置２７の受入口４５を開閉する受入口シャッター４６が移動し、受入口４５が開放される。そうすると、遊技球貯留用玉箱３０内に貯留される遊技球が、玉払出口３５および玉箱装着台２５の返却口４３を介してその下方に配置される玉返却装置２７の受入口４５に受け入れられ、その内部の玉通路４７に備えられた計数機１０によりその数が計数され、その結果が遊技客の獲得球として計上される。そして、この遊技球が遊技島１の内部に返却され、再利用される。
【００２０】
このように遊技島１のカウンター部５に備えられ、遊技機３で獲得した遊技球を貯留し、その貯留した遊技球を遊技島１内部に返却することができる遊技球貯留用玉箱３０においては、その底面３１部の玉払出口３５を覆うようにドーム状の被覆部３６が設けられるから、その内部に多数の遊技球が貯留される場合も、遊技球が玉払出口３５の上部に密集してこれを押し塞ぐことがなく、被覆部３６の側方に設けられる取込口３７から円滑に玉払出口３５に流下するようにできるから、遊技球が渋滞や詰りを生じることなく玉払出口３５から効率的に払いだされるようにするとともに、玉払出口３５が遊技客から容易に見えないようにして、棒状部材等の異物が玉払出口３５を介して遊技島１に設けられる玉返却装置２７等に差し込まれる悪戯を防止することができる。
【００２１】
また、遊技球貯留用玉箱３０に貯留される遊技球を、底面３１に沿って一列に並べ取込口３７から拡散させる方向に案内する玉案内溝３８ａ、３８ｂ、３８ｃを、その取込口３７の周囲に配設したことによって、その内部に貯留される遊技球を取込口３７から玉払出口３５へ流下させる場合、取込口３７に向かって集まる遊技球をなるべく拡散させながら玉払出口３５に流下することができるから、取込口３５部における遊技球の詰まりや渋滞を防止して、その下流の玉払出口３５から遊戯球を円滑に排出することができる。
【００２２】
また、遊技球貯留用玉箱３０の底面３１上を覆うように所定厚さ（約２ｍｍ）のゴム板４０を貼付し、さらにその取込口３７の周囲に貼付されるゴム板４０を切り欠くことによりその底面３１上に球案内溝３８ａ、３８ｂ、３８ｃを形成したことによって、遊技機３の下皿２２から遊技球貯留用玉箱３０に遊技球を排出するとき、遊技球の玉跳ね量を小さくし、遊技球と底面部との衝突音を小さくすることができるから、遊技球の玉箱３０からの飛び出しを防止するとともに、その玉排出時の騒音を小さくした使い勝手の良い遊技球貯留用玉箱３０を供給することができる。また、ゴム板４０の切欠き形状を変更することにより、取込口３７部の周囲に設けられる玉案内溝３８ａ、３８ｂ、３８ｃを、その取込口３７の態様に応じて、容易にかつ適宜に形成することができるから、コストが安く品質の良い遊技球貯留用玉箱３０を供給することができる。
【００２３】
また、遊技球貯留用玉箱３０の取込口３７に隣接してアース板金４１を配設したことにより、取込口３７部付近に向かって流下する遊技球の帯電を防止することができるから、遊技球貯留用玉箱３０内の遊技球が少なくなって、取込口３７付近に僅かに貯留される場合でも確実に遊技球の帯電を防止することができる。
なお、本発明は、言うまでもなく本実施の形態に示す装置にのみ限定されず、その趣旨の包含する範囲で応用変更が可能である。例えば、遊技球貯留用玉箱３０の玉払出口３５を覆うドーム状の被覆部３６や、その取込口３８、およびその周囲に設けられる玉案内溝３８ａ、３８ｂ、３８ｃ等の構成、形状等はこの実施形態に示すものに限定されるものではない。
【図面の簡単な説明】
【００２４】
【図１】本発明の実施形態の遊技球貯留用玉箱を適用するもので、遊技場において複数並設された遊技機（パチンコ台等）の間に遊戯球貸出機（台間玉貸機）が交互に配置されて形成されたいわゆる遊技島を模式的に示す正面図である。
【図２】本発明の実施形態の遊技球貯留用玉箱を適用するもので、遊技場において複数並設された遊技機（パチンコ台等）の間に遊戯球貸出機（台間玉貸機）が交互に配置されて形成された遊技島の構成を示す概略側面図である。
【図３】本発明の実施形態の遊技球貯留用玉箱を示す斜視図である。
【図４】本発明の実施形態の遊技球貯留用玉箱を示す正面断面図である。
【図５】本発明の実施形態の遊技球貯留用玉箱を示す側面断面図である。
【図６】本発明の実施形態の遊技球貯留用玉箱を適用するもので、遊技島のカウンター部に備えられた玉箱装着台に遊技球貯留用玉箱が装着された状態を示す正面断面図である。
【符号の説明】
【００２５】
１  遊技島  
３  遊技機
５  カウンター部（カウンター）
１０  計数機
２５  玉箱装着台
２７  玉返却装置
３０  遊技球貯留用玉箱
３１  底面
３５  玉払出口
３６  被覆部
３７  取込口
３８ａ  玉案内溝
３８ｂ  玉案内溝
３８ｃ  玉案内溝
４０  ゴム板（シート部材）
４１  アース板金
【図１】
2010035724.tif 000003
【図２】
2010035724.tif 000004
【図３】
2010035724.tif 000005
【図４】
2010035724.tif 000006
【図５】
2010035724.tif 000007
【図６】
2010035724.tif 000008